(57)【要約】【課題】  写真フィルムのセット向きなどを誤って装填した場合でも、再処理を容易に可能する。【解決手段】  フィルムキャリア１２とフィルムカッティングインサータ１６との間に連結搬送部１４を設ける。連結搬送部１４を、リザーバ２２と分岐排出部２３とから構成する。リザーバ２２で写真フィルム２８を少なくとも１本分以上貯留する。リザーバ２２で写真フィルム１本分が貯留されるため、次のフィルムカッティングインサータ１６では、１本分の画像コマ位置データに基づきフィルムピース７８への切断が可能になる。また、写真フィルム２８の表裏装填誤りなどがあった場合には、切断処理することなく、分岐排出部２３を介して排出することができ、再処理が容易に行える。【選択図】      図１
2006058397.tif 000002
【特許請求の範囲】
【請求項１】
写真フィルムに記録された画像を光学的に処理する第１処理部と、写真フィルムを所定の長さに切断するカッタ部を含む第２処理部と、これら第１処理部と第２処理部とを連結して写真フィルムを搬送する連結搬送部と、この連結搬送部に設けられ、第１処理部からの写真フィルムを分岐させて排出する分岐排出部とを有することを特徴とする写真フィルム処理装置。
【請求項２】
前記第１処理部と分岐排出部との間に、写真フィルムを１本分貯留可能なリザーバを有することを特徴とする請求項１記載の写真フィルム処理装置。
【請求項３】
前記分岐排出部と第２処理部との間に、写真フィルムを１本分貯留可能なリザーバを有することを特徴とする請求項１または２記載の写真フィルム処理装置。
【発明の詳細な説明】
【技術分野】
【０００１】
本発明は、写真フィルムを１本ずつフィルムキャリアに供給して写真プリント等を作成する写真フィルム処理装置に関するものである。
【背景技術】
【０００２】
写真フィルムの画像処理をデジタルで行う写真フィルム処理装置には、画像が記録された写真フィルムを所定の読取速度で搬送しつつ、この写真フィルムの画像をＣＣＤラインセンサからなるスキャナによって読み取り、この読み取りによって得られた画像データを用いて記録材料への画像の記録、ディスプレイへの画像の表示等を行うものがある（特許文献１，２参照）。
【０００３】
このような写真フィルム処理装置の画像読取部では、搬送ローラ対により写真フィルムを読取搬送路に沿って一方向へ搬送しつつ、ラインスキャナにより比較的にラフな解像度で写真フィルムの画像を読み取るプレスキャニングを行い、写真フィルムに記録された画像のサイズやダイナミックレンジ等を確認した後、写真フィルムの搬送方向を反転して写真フィルムを逆方向へ搬送しつつ、プレスキャニングにより得られたデータに基づいて高解像度で写真フィルムの画像を読み取るファインスキャニングを行うという、いわゆる往復走査を行っている。ファインスキャニング完了後の写真フィルムは、読取搬送路に接続されたフィルム搬出路に沿って装置外部やフィルム受入部へ搬出される。
【０００４】
フィルム搬出路へ搬送された写真フィルムは、例えば、フィルムカッタで６コマまたは４コマ等の所定長さに切断される。この切断されてなるフィルムピースは、フィルム収容袋が連続するシート（フィルムシート）にインサータにより順次収納されていく（特許文献３，４参照）。
【０００５】
上記のように写真フィルムから画像を読み取るスキャナと、画像を読み取った写真フィルムをフィルムピースに切断するフィルムカッティングインサータとを連結した写真フィルム処理装置では、いずれか一方でトラブルが発生すると、他方の処理も停止してしまうという問題がある。そこで、特許文献４ではスキャナとフィルムカッティングインサートとの間にループを形成し、両者の処理速度差を吸収するとともに、いずれか一方でトラブルが生じた場合でも、写真フィルム単位で処理を停止することができるようにしている。
【０００６】
【特許文献１】特開平１１−１３３５１９号公報
【特許文献２】特開平５−１８８４８３号公報
【特許文献３】特開平５−７２７０５号公報
【特許文献４】特開平１１−２９５８７０号公報
【発明の開示】
【発明が解決しようとする課題】
【０００７】
ところで、写真フィルムをフィルムキャリア等にセットする場合に、表裏を誤って逆にして挿入したり、先端から入れるところを逆に後端から入れたり、異なるフィルム種類を入れたりしてしまうことがあった。この場合には、再読み取りを行う必要から、再度フィルムをフィルムキャリアにセットして正規位置で装填し直すことが行われる。しかしながら、上記の写真フィルム処理装置では、これら誤装填の問題を考慮していないため、誤装填があった場合の再処理に手間取ってしまうという問題がある。
【０００８】
本発明は上記問題を解決するためのものであり、写真フィルムの誤装填があった場合でも簡単に対応して効率のよい処理が行えるようにした写真フィルム処理装置を提供することを目的とする。
【課題を解決するための手段】
【０００９】
上記目的を達成するために、本発明の写真フィルム処理装置は、写真フィルムに記録された画像を光学的に処理する第１処理部と、写真フィルムを所定の長さに切断するカッタ部を含む第２処理部と、これら第１処理部と第２処理部とを連結して写真フィルムを搬送する連結搬送部と、この連結搬送部に設けられ、第１処理部からの写真フィルムを分岐させて排出する分岐排出部とを有することを特徴とする。なお、前記第１処理部と分岐排出部との間に、写真フィルムを１本分貯留可能なリザーバを有することが好ましい。また、前記第２処理部と分岐排出部との間に、写真フィルムを１本分貯留可能なリザーバを有することが好ましい。
【発明の効果】
【００１０】
本発明によれば、写真フィルムに記録された画像を読み取ったり焼付露光したりして光学的に処理する第１処理部と、写真フィルムを所定の長さに切断するカッタ部を含む第２処理部との間に設けた連結搬送部に、第１処理部からの写真フィルムを分岐させて排出する分岐排出部を有するから、第２処理部での異常発生時や、写真フィルムの表裏を逆にセットしてしまったもの、挿入方向を誤ってしまったもの、フィルム種類が違うもの等の画像読取及びフィルム切断処理を行うことができない写真フィルムを切断することなく排出することができる。
【００１１】
第１処理部と分岐排出部との間に、写真フィルムを１本分貯留可能なリザーバを有することにより、花火のシーンなどのエッジが不明瞭な画像コマが連続する写真フィルムの場合に、１本分の画像コマ検出情報を用いてフィルムを切断するか否かなどの処理が可能になる。しかも、２段階のループ構造などを採用する必要がなく、装置サイズの小型化が図れる。
【００１２】
分岐排出部と第２処理部との間に、写真フィルムを１本分貯留可能なリザーバを有することにより、第２処理部に異常が発生して処理が停止した場合でも、次の画像読取中の写真フィルムは分岐排出部を介して排出することで、画像読取処理が中断することがなくなる。
【発明を実施するための最良の形態】
【００１３】
図１に示すように、写真フィルム処理装置としての画像入力機１０は、オートフィルムローダ１１、フィルムキャリア１２、画像読取部１３、連結搬送部１４、フィルムカッティングインサータ１６、及び画像処理部１７を備えている。また、画像出力機１８は、レーザプリンタ部１９及びプロセサ部２０を備えている。
【００１４】
連結搬送部１４には搬送ローラ対２１及びガイドプレートが適宜間隔で配置されているが、図面の煩雑化を避けるために一部のみを図示している。この連結搬送部１４には、リザーバ２２及び分岐排出部２３が設けられている。
【００１５】
オートフィルムローダ１１は、フィルムホルダ、給送ローラ、及び搬送ローラ対を備えている。フィルムホルダには、現像済みの写真フィルムが積層されて束とされたフィルタ束が装填される。給送ローラは、フィルムホルダ内の写真フィルムを１本ずつ分離して搬送ローラ対に送る。搬送ローラ対はフィルムホルダから分離された写真フィルムをフィルムキャリア１２に送る。また、オートフィルムローダ１１とフィルムキャリア１２との間には、手差しにより写真フィルムをフィルムキャリア１２にフィルム挿入口が設けられている。なお、符号２５は写真フィルム２８（図２参照）の搬送路を示している。
【００１６】
図２に示すように、写真フィルム２８の先端部２８ａにはチェックラベル３１がプリント処理の前に貼り付けられている。このチェックラベル３１には、各注文を識別するための注文識別番号３２およびこの注文識別番号３２をバーコード化したバーコード３３が記録されている。このチェックラベル３１は同一番号のものが、プリント注文の際に写真フィルム２８が入れられていたＤＰ袋（図示せず）にも貼り付けられ、これらの照合に用いられる。
【００１７】
図１に示すように、前記画像処理部１７はパーソナルコンピュータから構成されており、キーボード１７ａ、マウス１７ｂ、ディスプレイ１７ｃを備えており、注文情報の入力手段および記憶手段を兼ねている。そして、キーボード１７ａ、マウス１７ｂなどをオペレータが操作してＤＰ袋に記入された注文情報が入力可能になっている。入力された注文情報は、画像処理部１７内のメモリ１７ｄに注文識別番号とともに記憶される。
【００１８】
図３は注文情報の一覧表の一例であり、この注文情報一覧表３８には、注文識別番号、フィルム種、印画紙の面種、プリントサイズ、縁の有無、枚数、受け渡し時刻、受け渡し方法、インデックスプリントの有無、ＣＤの有無、顧客情報の項目毎に必要に応じて入力される。注文識別番号としては、例えば４桁の数字が用いられる。なお、注文識別情報としては、数字に限定されるものではなくアルファベットなどの他の文字との組み合わせでもよく、また桁数も４桁に限らず、適宜増減してよい。フィルム種類としてはネガフィルムを示す「Ｎ」や、リバーサルフィルムを示す「Ｒ」などが用いられる。印画紙の面種では、光沢（グロッシー）、絹目などが用いられる。プリントサイズでは、「Ｌ」，「２Ｌ」，「ハーフＬ」，「パノラマ」などが用いられる。縁の有無では「縁有り」，「縁無し」が用いられる。枚数は「各１枚」，「各２枚」などが用いられる。受け渡し時刻では、注文時に指定した受け渡し日時が書き込まれる。受け渡し方法では、店頭渡し、郵送、宅配便などが選択される。インデックスの有無にはインデックスプリントの有無が書き込まれる。また、ＣＤの有無ではＣＤＲへの書込みの有無が選択される。また、顧客情報の項目では、顧客の電話番号などが書き込まれる。なお、注文情報として、図示しないオートデート機構によってプリント日または日時を入力してもよい。
【００１９】
注文情報のうち、プリントサイズ、プリント枚数、ペーパー面種、インデックスプリントの有無については、画像出力機１８におけるプリント処理の際に用いられ、対応するプリントサイズ、枚数で、指定されたカラー印画紙（カラーへーパー）の面種（光沢または絹目）の印画紙に対してプリントが行われる。また、インデックスプリント有りの場合には、写真フィルム２８に記録された全コマを一覧に表示したインデックスプリントが作成される。また、データＣＤの作成が有りの場合には、スキャン終了後に指定された記録媒体例えばＣＤＲに画像データが書き込まれる。なお、ＣＤＲに代えて、その他のＤＶＤＲやＩＣカードなどに画像データを書き込むようにしてもよい。
【００２０】
オートフィルムローダ１１とフィルムキャリア１２との間にはバーコードリーダ３４が配置されている。バーコードリーダ３４はチェックラベル３１のバーコード３３を読み取り、このバーコード読み取り信号をシステムコントローラ４０に送る。バーコードリーダ３４は、コンビニエンスストアのレジなどで使用されるバーコードリーダと同じものが用いられるが、検出方式や用いる光源などは適宜変更してよい。システムコントローラ４０は、バーコード読み取り信号に基づき注文識別番号３２から画像処理部１７のメモリ１７ｄ内の対応する注文情報を読み取り、この読み取った注文情報に基づき各部を制御して注文情報に対応したプリント処理を行う。バーコード３３が読み取られた写真フィルム２８はフィルムキャリア１２に送られる。
【００２１】
フィルムキャリア１２には読み取り開口１２ａが形成されており、この読み取り開口１２ａを通過するようにフィルム通路４２が形成されている。読み取り開口１３ａにはキャリアマスク４３が設けられており、このキャリアマスク４３は画像読み取り時に写真フィルム２８を押えて写真フィルム２８の平面性を確保する。
【００２２】
キャリアマスク４３の上流側でフィルム通路４２には、先端センサ４５、画面センサ４６、図示しないパーフォセンサ及びバーコードリーダが設けられている。先端センサ４５は写真フィルム２８の先端を検出し、この先端検出信号をシステムコントローラ４０に送る。パーフォセンサは写真フィルムのパーフォレーションを検出する。バーコードリーダは写真フィルムの側縁部に記録されたＤＸコードやコマ番号バーコードを読み取る。
【００２３】
画面センサ４６は、写真フィルムの各画像コマ位置を特定するためのものである。この  画面センサ４６は、写真フィルム２８の画像記録エリア内にフィルム幅方向で離間して配置された例えば４個の透過型受光センサから構成されており、この受光センサの信号はシステムコントローラ４０に送られる。システムコントローラ４０では、コマ位置判定部４１によって、フィルム長手方向における各受光センサの濃度変動に基づき各画像コマのエッジ位置を抽出する。
【００２４】
図４は、エッジ位置の抽出及び判定アルゴニズムの一例を示している。まず、エッジが明確なコマについて、エッジ位置を確定する。そして、この確定したエッジ位置データに基づき確定コマについてのコマ位置データの平均を算出する。次に、この確定コマの平均データに基づき、未確定コマについてエッジ位置候補を抽出する。そして、エッジ位置候補と確定エッジとの距離を算出する。次に、算出距離と前記平均との差を算出する。そして、差の最も小さいエッジ位置を選択して、これを確定エッジ位置として登録する。また、確定したエッジ位置に基づき画像コマの他方のエッジ位置を算出し登録する。これを未確定の全画像コマに対して行う。なお、エッジ位置の抽出及び判定アルゴニズムは上記のものに限定されることなく他のエッジ位置の抽出方法及び判定アルゴニズムを用いてもよい。
【００２５】
システムコントローラ４０では、コマ位置判定部４１により、各画像コマの位置を写真フィルム２８の先端からの送り量を基準にして特定する。なお、各画像コマの位置の特定は先端からの送り量に代えて、先端から対象コマのエッジ近くまでのパーフォレーションの数量と、このエッジ近くのパーフォレーションからエッジまでのフィルム送り量とから特定してもよい。この場合には、フィルム送りの累積誤差が少なくなるので、各コマ位置を精度よく特定することができる。また、パーフォレーションを基準にする代わりに、画像コマ位置に近いコマ番号バーコードやＤＸバーコードなどを基準にし、この基準にしたバーコードからのフィルム送り量により各コマのエッジ位置を特定してもよい。
【００２６】
画像読取部１３は光源５０及びスキャナ５１から構成されている。光源５０は、読み取り開口１２ａにセットされた各画像コマを照明する。スキャナ５１は、撮像レンズ５１ａと、この撮像レンズ５１ａの結像位置に配置されるＲ（レッド）、Ｇ（グリーン）、Ｂ（ブルー）測光用のエリアＣＣＤセンサ５１ｂとを備えており、このエリアＣＣＤセンサ５１ｂによって写真フィルム２８の各画像コマの画像を読み取る。このスキャナ５１からのＲ、Ｇ、Ｂ３色の画像データは、それぞれ画像処理部１７へ出力される。
【００２７】
画像処理部１７は、前述したように注文情報の入力および記憶を行う他に、スキャナ５１からの画像データに対して濃度補正や色補正等の各種画像処理を行って、記録用画像データとしてレーザプリンタ部１９へ出力する。また画像処理部１７は、画像処理を行った画像データを画像ファイルとして外部へ出力する。例えば、メモリカードやＣＤＲ、ＤＶＤＲ等の記憶媒体やＨＤＤ等の外部記憶装置に出力したり、通信回線を介して他の情報処理機器へ送信したりする。
【００２８】
レーザプリンタ部１９はＲ、Ｇ、Ｂのレーザ光をそれぞれ出射するレーザ光源を備えており、画像処理部１７から入力された記録用画像データに応じて変調したレーザ光を印画紙に照射して、走査露光によって印画紙に画像（潜像）を形成する。プロセサ部２０は、レーザプリンタ部１９によって走査露光された印画紙に対し、発色現像、漂白定着、水洗、乾燥の各処理を施す。これにより、印画紙上に形成された潜像が現像されて可視像とされる。また、レーザプリンタ部１９では、インデックスプリントが指定された場合には、写真フィルムの各画像コマを一覧に表示したインデックスプリントを作成する。
【００２９】
フィルムキャリア１２を出た写真フィルム２８は、連結搬送部１４を介してフィルムカッティングインサータ１６に送られる。連結搬送部１４はフィルムキャリア１２とフィルムカッティングインサータ１６とを接続するためのものであり、リザーバ２２及び分岐排出部２３を備えている。リザーバ２２は、２個の搬送ローラ対６０，６１の間にループ空間６２を形成するように構成されており、入口側の搬送ローラ対６０には可動ガイド６３が設けられている。ループ空間６２は少なくとも写真フィルム１本分のフィルム貯留量を有する。可動ガイド６３は、入口側の搬送ローラ対６０の下部駆動ローラ６０ａと同軸で回転自在に取り付けられており、水平状態となって写真フィルム２８の先端を出口側搬送ローラ対６１に案内する案内位置（二点鎖線表示）と、略垂直状態となってループ空間から退避する退避位置（実線表示）との間で変位する。
【００３０】
分岐排出部２３は、分岐ガイド６５と搬送ローラ対６６とフィルム貯留部６７とから構成されている。分岐ガイド６５はリザーバ２２出口側の搬送ローラ対６１の下部駆動ローラ６１ａと同軸で回転自在に取り付けられており、水平状態となって写真フィルム２８の先端部２８ａをフィルムキャリア１２に案内する通常位置と、斜め上方に傾斜するように回転し、分岐搬送ローラ対６６に写真フィルム２８の先端部２８ａを案内する分岐位置との間で変位する。フィルム貯留部６７は円筒状に形成されており、分岐された写真フィルム２８をロール状に収納する。なお、フィルム貯留部６７は写真フィルム２８を一時的に貯留することができるものであればよく、図示例のものに限られない。
【００３１】
フィルムカッティングインサータ１６には、先端センサ７０及び画面センサ７１が設けられており、これらセンサ７０，７１からの信号はシステムコントローラ４０に送られる。画面センサ７１は、割り込み処理がなされて、オートフィルムローダ１１、フィルムキャリア１２、リザーバ２２を介することなく、直接にフィルムカッティングインサータ１６のフィルム入口に写真フィルム２８が挿入される場合に、各画像コマ位置を特定するためのものである。先端センサ７０及び画面センサ７１は、上記フィルムキャリア１２に設けた先端センサ４５及び画面センサ４６とほぼ同様に構成されており、これらセンサ７０，７１の出力はシステムコントローラ４０のコマ位置判定部４１に送られ、このコマ位置判定部４１によって写真フィルム２８の先端及び画面エッジ位置を検出する。
【００３２】
フィルムカッティングインサータ１６は、カッタ７５とフィルムシート搬送部７６とインサートローラ対７７とを備えている。カッタ７５は、写真フィルム２８を例えば６個の画像コマ単位で切断し、フィルムピース７８にする。このとき、画面センサ４６の１件分の全コマ位置検出結果に基づきコマ位置が特定されて、このコマ位置に基づき６コマ毎のカット位置が特定され切断される。
【００３３】
フィルムシート搬送部７６は、図示しないシート搬送ローラ対によりフィルムシートロール８０からフィルムシート８１を引き出して、インサートローラ対７７にフィルムシート８１のフィルム収納部８１ａを位置決めする。フィルムシートロール８０は、フィルムシート８１をロール状に巻き取ったものであり、フィルムシート８１には多数のフィルム収納部８１ａが並べて形成されている。このフィルム収納部８１ａにインサートローラ対７７によりフィルムピース７８が挿入されると、フィルムシート８１がフィルムシート搬送部７６によってフィルム収納部の幅だけ送られる。これにより、次の未挿入のフィルム収納部８１ａがフィルム装填位置にセットされる。以下、同様にして写真フィルム２８の切断と挿入とが行われる。また、１本分の写真フィルム２８が切断されてフィルムシート８１に挿入されると、各写真フィルム２８が挿入されたフィルム収納部８１ａの境界部分で、フィルムシート８１が図示しないカッタにより切り離される。
【００３４】
次に、上記実施形態の作用を説明する。まず、写真フィルム２８を受け付けるときに、注文者の名前、連絡先電話番号や注文内容がＤＰ袋に書き込まれ、この書き込まれたＤＰ袋内に受け付けた写真フィルム２８が入れられる。次に、受け付け処理されたＤＰ袋および図２に示すように写真フィルム２８の先端部２８ａに注文識別番号３２およびそのバーコード３３が記録されたチェックラベル３１が貼り付けられる。この後、貼り付けられたチェックラベル３１の注文識別情報と、ＤＰ袋に書き込まれたプリント注文情報とが、画像処理部１７のキーボード１７ａおよびマウス１７ｂを介して、オペレータの操作によって入力される。画像処理部１７では、注文識別情報毎に注文情報をメモリ１７ｄに書き込む。受け付け処理後の写真フィルム２８は周知のフィルム現像機によって現像処理される。
【００３５】
現像処理後の写真フィルム２８は現像処理順にあるいはランダムに重ねられて、オートフィルムローダ１１にセットされる。このとき、従来のように、同一注文内容のものを１まとまりにまとめるような前処理としての仕分けが不要になり、プリント処理が簡単になる。
【００３６】
オートフィルムローダ１１では、給送ローラによってフィルム束から写真フィルム２８を１本ずつ送り出す。この写真フィルム２８は、搬送ローラ対によりフィルムキャリア１２に向けて搬送される。この搬送時に、バーコードセンサ３４により、写真フィルム２８の先端部２８ａに貼られたチェックラベル３１のバーコード３３が読み取られる。このバーコード読み取り信号はシステムコントローラ４０に送られる。システムコントローラ４０では、バーコード３３による注文識別番号に基づき対応するプリント注文内容を画像処理部１７のメモリ１７ｄから検索し、プリント注文内容に基づきプリント処理やＣＤＲに画像データの書込み処理を行う。
【００３７】
なお、バーコード３３の読み取りを失敗した場合には、写真フィルム２８が戻されて、この戻し中または再送り中にバーコードセンサ３４でバーコード３３の再読み取りが行われる。この２回のバーコード読み取りにも失敗した場合にはアラームが発せられ、オペレータによる読み取りが行われる。この場合には、オペレータによりバーコード３３が読み取れる位置で写真フィルム２８の送りが停止され、この状態でキー入力可能な状態になる。オペレータは、チェックラベル３１の注文識別番号を読み取り、これをキー入力する。キー入力された注文識別情報は画像処理部１７のディスプレイ１７ｃに表示され、これでよければ確定キーが操作されることで、注文識別情報の入力が終了し、写真フィルム２８の送りが再開される。
【００３８】
表裏を逆にしてセットされた写真フィルムの場合にはチェックラベルがバーコードリーダとは反対側になるため、読み取り不能になる。この表裏を逆にして装填された写真フィルムに対して画像読取部で読み取った画像データは、表裏が反転した画像データとなっている。また、先後端を逆にしてセットされた写真フィルムの場合には、チェックテープが先端部にないことから、写真フィルムの先端部が通過するときにはバーコードを読み取ることができず、この場合もバーコード読取失敗となる。さらには、ネガフィルム中に誤ってリバーサルフィルムが混入していた場合にも、この写真フィルムを他の写真フィルムと同じ読取条件で読み取ることはできない。このような装填不良の場合には、本実施形態では、分岐排出部２３でフィルム貯留部６７に強制的に排出し、再度正規位置で装填することで画像の読み取り、プリントを行う。このような装填不良の判断は、チェックラベル３１の読み取り失敗や読み取り後の注文情報の内容に応じて自動的に判断している。なお、このような自動的な判断に代えて、装填不良アラームを発してオペレータに確認させた後に分岐排出部２３により、これらの装填不良の写真フィルム２８を排出してもよい。
【００３９】
先端センサ４５及び第１画面センサ４６の出力信号に基づきシステムコントローラ４０では、コマ位置判定部４１によって、フィルム長手方向における各受光センサの濃度変動に基づき各画像コマのエッジ位置を抽出し、このエッジ位置を写真フィルム２８の先端からのフィルム送り量によって特定する。このエッジ位置データはシステムコントローラ４０のメモリに記憶される。
【００４０】
写真フィルム２８の先端が可動ガイド６３を通過し、更に下流側の搬送ローラ対６１を通過すると、可動ガイド６３がガイド位置から退避位置に変位する。この可動ガイド６３の退避によって、写真フィルム２８はループ空間６２内に収納される。フィルムキャリア１２では先端センサ４５によるフィルム先端検出信号を基準にしたフィルム送り量によって、各コマが読み取り開口１３ａに順次セットされて、フィルムスキャナ１２による各画像コマの読み取りが行われる。
【００４１】
画像が読み取られた写真フィルム２８は連結搬送部１４を介してフィルムカッティングインサータ１６に送られて、画面センサ４６による各画像コマの位置データに基づき６コマ毎に切断されて、フィルムシート８１に挿入される。この６コマ毎の切断は、画面センサ４６による写真フィルム２８の１本分の画像コマ位置を特定した後に、この画像コマ位置データに基づき行われるため、各画像コマの間で６コマ毎に写真フィルム２８が切断される。
【００４２】
なお、リザーバ２２に写真フィルム２８がほぼ１本分の長さで貯留されるため、フィルムキャリア１２での画像読み取り処理と、フィルムカッティングインサータ１６でのフィルム切断処理とを写真フィルム単位で分離することができる。したがって、花火などのシーンのようにエッジが不明瞭な画像コマが連続した場合に、１本分の画像コマ位置情報に基づきエッジが不明瞭な画像コマ位置を特定することができる。また、フィルムカッティングインサータ１６で切断処理が中断した場合に、現在読み取り中の写真フィルム２８を分岐排出部２３によって排出することができる。
【００４３】
各画像コマの画像読み取り後は、この各画像コマの画像データに基づき画像出力機１８によりプリント写真が作成される。このプリント写真の作成は、予めチェックラベル３１の注文識別情報に基づき特定された注文内容に沿って行われる。例えば、レーザプリンタ部１９において、プリントサイズおよびプリント枚数に応じて、カラーペーパーが切断され、プリント枚数に応じた走査露光が行われる。このとき、現在セットされているカラーペーパーが注文内容の面種に適合しているか否かが判定される。そして、適合していない場合には、適合する面種のプリント注文処理が行われた後に、ペーパー交換のアラームが出されて、所定の面種のカラーペーパーがセットされた後に、面種の異なるプリント処理が行われる。
【００４４】
また、インデックスプリントが指定されている場合には、各画像コマが一覧に表示されたインデックス画像が作成されて、このインデックス画像がレーザプリンタ部１９で走査露光される。また、ＣＤ書込みが指定されている場合には、画像処理部１７でＣＤＲに写真フィルム２８の各画像コマが書き込まれる。
【００４５】
なお、上記実施形態では、リザーバ２２に写真フィルム１本分を貯留し、画像読み取りが終了した後に、フィルムカッティングインサータ１６で各フィルムピース７８に切断したが、この他にリザーバ２２に写真フィルム２８をループ状に貯留することなく送って、画像読み取りと写真フィルム２８の切断とをほぼ同時に行うようにしてもよい。この場合には、写真フィルム２８を１本分貯留して読み取りと切断とを分離して処理する分離処理モードと、写真フィルム２８をリザーバ２２に貯留することなく、画像読み取りと切断とを連続的に処理する連続処理モードを用意しておき、これらを選択可能にするとよい。
【００４６】
上記実施形態では、リザーバ２２の出口側搬送ローラ対６１に分岐ガイド６５を設けたが、図５に示すように、リザーバ２２の下流側に位置する別の搬送ローラ対８５に分岐ガイド８６を設けてもよい。なお、以下の説明では、上記実施形態と同一構成部材には同一符号が付してあり、重複した説明を省略している。また、リザーバ２２に対して下流側に分岐排出部２３を設ける代わりに、図６に示すように、リザーバ２２の上流側に設けた搬送ローラ対８７に分岐排出部２３を設けてもよい。さらに、図７に示すように、リザーバ２２の上流側搬送ローラ対６０の可動ガイド６３を分岐ガイド兼用としてもよい。この場合には、分岐ガイド６５を回動して斜め上方に傾斜するようにして、写真フィルム２８をフィルム貯留部６７に向けて分岐させる。
【００４７】
上記実施形態では、第１処理部としての画像読取部１３で画像を読み取るようにしたが、この他に第１処理部で写真フィルムの投影光に基づき印画紙に画像を焼付露光するタイプの写真フィルム処理装置に本発明を実施することができる。また、画像読み取り後または焼付露光後の写真フィルム２８をフィルムカッティングインサータ１６でフィルムピースに切断し、この切断したフィルムピースをフィルムシートに挿入したが、単にフィルムピースに切断する場合にも本発明を実施することができる。
【図面の簡単な説明】
【００４８】
【図１】本発明の写真フィルム処理装置を実施した画像入力機を示す概略図である。
【図２】写真フィルムの先端部に貼り付けられたチェックラベルを示す平面図である。
【図３】注文情報一覧表の一例を示す説明図である。
【図４】各画像コマのエッジ位置の抽出及び判定アルゴニズムの一例を示すフローチャートである。
【図５】分岐排出部をリザーバの下流に配置した他の実施形態を示す概略図である。
【図６】分岐排出部をリザーバの上流に配置した他の実施形態を示す概略図である。
【図７】分岐排出部をリザーバの上流に配置した他の実施形態を示す概略図である。
【符号の説明】
【００４９】
１０   画像入力機
１１   オートフィルムローダ
１２  フィルムキャリア
１３  画像読み取り部
１４  連結搬送部
１６  フィルムカッティングインサータ
１７  画像処理部
１８  画像出力機
２２  リザーバ
２３  分岐排出部
３１  チェックラベル
３２  注文識別番号
３３  バーコード
２８  写真フィルム
３４  バーコードリーダ
４０  システムコントローラ
４１  コマ位置判定部
４５  先端センサ
４６  画面センサ
５１  スキャナ
７７  インサートローラ対
７８  フィルムピース
８１  フィルムシート
【図１】
2006058397.tif 000003
【図２】
2006058397.tif 000004
【図３】
2006058397.tif 000005
【図４】
2006058397.tif 000006
【図５】
2006058397.tif 000007
【図６】
2006058397.tif 000008
【図７】
2006058397.tif 000009